(57)【要約】【課題】通信により通信用ＩＤをメモリ書き込んだとき、改めて確認作業を行う必要なく、自動的に書込み内容に誤りがないことをすぐに確認することができる電子式メータを提供する。【解決手段】電子式水道メータに対して通信用ＩＤを設定するときには、通信Ｉ／Ｆを介して通信用ＩＤをメモリに書き込む。通信用ＩＤとしては、設置時の整合などに便利なように、メータ管理用の刻印番号である「７６０３２」を使用してなる。そして、通信用ＩＤをメモリに書き込んだとき、書き込んだ通信用ＩＤを、図中符号３０で示すように積算値表示部２２に一定時間（例えば５秒間）表示する。【選択図】図４
2008145279.tif 000002
【特許請求の範囲】
【請求項１】
計測積算値を表示する積算値表示部を備える電子式メータにおいて、
通信用ＩＤをメモリに書き込んだとき、書き込んだ通信用ＩＤを表示部に一定時間表示することを特徴とする、電子式メータ。
【請求項２】
計測積算値を表示する積算値表示部を備える電子式メータにおいて、
外部操作により、記憶される通信用ＩＤを読み出して表示部に一定時間表示することを特徴とする、電子式メータ。
【請求項３】
最上位桁から０以外の数値が出るまで０を省いて前記通信用ＩＤを前記表示部に表示することを特徴とする、請求項１または２に記載の電子式メータ。
【請求項４】
前記通信用ＩＤの桁数が、前記表示部の桁数よりも多いときには、前記通信用ＩＤを途中の桁で分けて複数回で表示することを特徴とする、請求項１または２に記載の電子式メータ。
【請求項５】
前記表示部が前記積算値表示部であることを特徴とする、請求項１ないし４のいずれか１に記載の電子式メータ。
【請求項６】
前記通信用ＩＤとして、メータ管理用の刻印番号を使用してなることを特徴とする、請求項１ないし５のいずれか１に記載の電子式メータ。
【発明の詳細な説明】
【技術分野】
【０００１】
この発明は、水道水の通過積算流量を計測する電子式水道メータなどの電子式メータに関する。
【背景技術】
【０００２】
集合住宅においては、検針業務の簡易化を図るため、またオートロックマンションにおいて入居者以外をマンション内に入れないようにするために、１階に全戸の水道メータの積算値を読み取り、表示する集中検針盤を設置することがある。このような集中検針盤からは、通信によりメータの積算値を読み取る方式が主流である。この場合、メータ部は、電子化されており、電子式水道メータとしては、例えば特許文献１に記載されるようなものが提案されている。
【０００３】
ところで、このような集合住宅などでは、集中検針が実施されており、近年配線工事が容易なバスシステム方式の集中検針が増えてきている。バスシステムは、集中検針盤と各メータが専用線で接続されておらず、同一配線上に各メータがぶら下がる形となるため、集中検針盤があるメータの検針値を要求する場合、要求電文は全メータが受け取ることとなる。しかし、要求電文内にメータ固有の通信用ＩＤを付与することにより、要求電文を受信したメータは自メータへの要求かどうか判断することができ、結果として応答するメータはＩＤが一致したメータのみとなるシステムである。
【０００４】
バスシステムの設置工事時、通信用ＩＤと部屋番号の整合を取る必要がある。ところが、水道メータでは、一般に水道局等の管理用にメータ本体に固有番号を刻印しているため、通信用ＩＤを刻印番号と同じにすることで、新たにＩＤ番号を示すシールを貼ったりすることもなく、また設置業者が現地で通信によりＩＤを調べることもなく、設置時の整合が容易となる。
【０００５】
【特許文献１】特開２００５−２５７２７３号公報
【発明の開示】
【発明が解決しようとする課題】
【０００６】
しかし、電子式水道メータは、まず電子部を完成させ、その後メータ本体部に組み込むという製造方法を取る。よって、電子部製造時には、刻印番号が分かっていないことが多く、本体部に組み込んだ後に、すでに本体部や電子部の蓋などに刻印されているメータ管理用の刻印番号を通信により通信用ＩＤとして書き込むという方法を取っている。このとき、書込みを誤ったとしても、刻印番号を書き込んだと思い込んでしまうことがあることから、書き込んだ後、さらにもう１回ＩＤを読み出して、刻印番号と一致しているか否かの確認を行う必要があり、効率が悪かった。
【０００７】
そこで、この発明の第１の目的は、通信により通信用ＩＤをメモリに書き込んだとき、改めて確認作業を行う必要なく、自動的に書込み内容に誤りがないことをすぐに確認することができる電子式メータを提供することである。
【０００８】
この発明の第２の目的は、メータの設置現場において、すでに書込みを行ってある通信用ＩＤを確認することができる電子式メータを提供することである。
【０００９】
ところで、電子式水道メータの刻印番号を通信用ＩＤとすると、通信用ＩＤは、一般に１４桁ある。しかし、実際にバスシステムと接続するメータは、多くても、数１００台であることが多く、通信用ＩＤの中で実際に自他識別の働きをする桁数は、４桁以下であることがほとんどである。
【００１０】
そこで、この発明の第３の目的は、必要のない桁は表示せず、１回で必要な通信用ＩＤ値をシンプルに表示できる電子式メータを提供することである。
【００１１】
前述のとおり、電子式水道メータの通信用ＩＤは、一般に１４桁ある。しかし、積算値表示部は８桁であることが多いため、すべてを表示することはできない。
【００１２】
そこで、この発明の第４の目的は、１４桁の通信用ＩＤでも、すべてを表示することができる電子式メータを提供することである。
【００１３】
この発明の第５の目的は、表示部を単純化し見易くした電子式メータを提供することである。
【００１４】
この発明の第６の目的は、メータに通信用ＩＤ番号を示すシールを貼ったり、また設置業者が現地で通信により通信用ＩＤを調べたりすることなく、設置時における整合を容易とする電子式メータを提供することである。
【課題を解決するための手段】
【００１５】
請求項１に記載の発明は、上述した第１の目的を達成すべく、計測積算値を表示する積算値表示部を備える電子式水道メータ等の電子式メータにおいて、通信により書込みを行う通信用ＩＤをメモリに書き込んだとき、書き込んだ通信用ＩＤを表示部に一定時間（例えば５秒間）表示することを特徴とする。
【００１６】
請求項２に記載の発明は、上述した第２の目的を達成すべく、計測積算値を表示する積算値表示部を備える電子式水道メータ等の電子式メータにおいて、例えば磁石を用いてリードスイッチをオンするなどの外部操作により、記憶される通信用ＩＤを読み出して表示部に一定時間（例えば５秒間）表示することを特徴とする。
【００１７】
請求項３に記載の発明は、上述した第３の目的を達成すべく、請求項１または２に記載の電子式メータにおいて、最上位桁から０以外の数値が出るまで０を省いて前記通信用ＩＤを前記表示部に表示することを特徴とする。
【００１８】
請求項４に記載の発明は、上述した第４の目的を達成すべく、請求項１または２に記載の電子式メータにおいて、前記通信用ＩＤの桁数が、前記表示部の桁数よりも多いときには、前記通信用ＩＤを途中の桁で分けて複数回で表示することを特徴とする。
【００１９】
請求項５に記載の発明は、上述した第５の目的を達成すべく、請求項１ないし４のいずれか１に記載の電子式メータにおいて、前記表示部が前記積算値表示部であることを特徴とする。そして、通信用ＩＤをメモリに書き込んだときや、外部操作時に、通常計測積算値を表示している積算値表示部を切り換えて、通信用ＩＤを表示する。
【００２０】
請求項６に記載の発明は、上述した第６の目的を達成すべく、請求項１ないし５のいずれか１に記載の電子式メータにおいて、前記通信用ＩＤとして、一般に１４桁であるメータ管理用の刻印番号を使用してなることを特徴とする。
【発明の効果】
【００２１】
請求項１に記載の発明によれば、通信により書込みを行う通信用ＩＤをメモリに書き込んだとき、書き込んだ通信用ＩＤを表示部に一定時間表示するので、改めて確認作業を行うまでもなく、自動的に書込み内容に誤りがないことをすぐに確認して作業効率を向上することができる。
【００２２】
請求項２に記載の発明によれば、外部操作により、記憶される通信用ＩＤを読み出して表示部に一定時間表示するので、メータの設置現場において、すでに書込みを行ってある通信用ＩＤを確認して設置効率を向上することができる。
【００２３】
請求項３に記載の発明によれば、最上位桁から０以外の数値が出るまで０を省いて通信用ＩＤを表示部に表示するので、必要のない桁は表示せず、例えば通信用ＩＤの桁数が表示部の桁数より多い場合でも１回で、必要な通信用ＩＤ値をシンプルに表示することができる。
【００２４】
請求項４に記載の発明によれば、通信用ＩＤの桁数が、表示部の桁数よりも多いときには、通信用ＩＤを途中の桁で分けて複数回で表示するので、仮に１４桁のように桁数の大きい通信用ＩＤであっても、すべてを表示することができる。
【００２５】
請求項５に記載の発明によれば、通常計測積算値を表示している積算値表示部を切り換えて通信用ＩＤを表示するので、積算値表示部とは別に通信用ＩＤ表示用の表示部を別途設ける必要なく、メータの表示部を単純化して表示を見易くすることができる。
【００２６】
請求項６に記載の発明によれば、通信用ＩＤとして、メータ管理用の刻印番号を使用してなるので、メータに通信用ＩＤ番号を示すシールを貼ったり、また設置業者が現地で通信により通信用ＩＤを調べたりすることなく、設置時における整合を容易とすることができる。
【発明を実施するための最良の形態】
【００２７】
以下、図面を参照しつつ、この発明の実施の最良形態につき説明する。
図１には、この発明による電子式メータの一例である電子式水道メータを上から見て示す。
【００２８】
図１中符号１０は、水道水の流入出口であり、一方から流入した水道水は、他方から流出する。中央には、一般に土や埃などで汚れないように蓋１２により覆い、一般には液晶を用いた不図示の積算値表示部が上向き（図では、紙面と直角な方向手前向き）に設けられている。蓋１２には、メータごとの管理用の固有の刻印番号１３が付されている。図示メータでは、「７６０３２」と刻印されている。蓋１２からは、通信用ケーブル１４が外向きにのびている。
【００２９】
図２には、図１に示す電子式水道メータに備える電子構成を示す。
図２中符号２０は、マイコンである。マイコン２０は、流量センサ２１からの信号により使用量を積算していき、計測積算値を積算値表示部２２にリアルタイムで表示する。
【００３０】
マイコン２０には、通信Ｉ／Ｆ２３を接続し、通信用ケーブル１４を介して外部よりメータに対して設定を行ったり、内部の情報を外部に通信したりすることが可能である。また、リードスイッチ２４を接続し、外部よりの磁気を感知させることによりマイコン２０を働かせて外部から積算値表示部２２の表示切換えを行うことを可能とする。
【００３１】
図２中符号２５は、電源であり、通常はリチウム電池を用いている。マイコン２０および通信Ｉ／Ｆ２３には電源を常時供給し、流量センサ２１、積算値表示部２２、リードスイッチ２４には電源をマイコン２０を介して供給する。
【００３２】
図３には、図１に示す電子式水道メータにおける液晶を用いた積算値表示部を示す。
積算値表示部２２には、８桁の数字が表示できるようになっており、通常は水道水の通過流量積算値、アラーム表示などを表示する。
【００３３】
図４には、書き込んだ通信用ＩＤを積算値表示部２２に表示した状態を示す。
図示電子式水道メータに対して通信用ＩＤを設定するときには、通信Ｉ／Ｆ２３を介して通信用ＩＤをマイコン２０のメモリに書き込む。通信用ＩＤとしては、設置時の整合などに便利なように、メータ管理用の刻印番号１３である「７６０３２」を使用してなる。そして、通信用ＩＤをメモリに書き込んだとき、自動的に書き込んだ通信用ＩＤをすぐに、図中符号３０で示すように積算値表示部２２に一定時間（例えば５秒間）表示する。
【００３４】
このときは、積算値表示部２２に表示している数値が通信用ＩＤであることが、直ちに判るように、図中符号３１で示すように「ＩＤ」の文字を表示したり、数値を点滅表示したりするとよい。
【００３５】
ところで、図示電子式水道メータに対して通信用ＩＤを設定するときに、書き込んだ通信用ＩＤを積算値表示部２２に一定時間表示することを説明した。しかし、例えばメータの設置現場でも、そのメータにすでに設定してある通信用ＩＤを確認するとき、外部操作により、記憶される通信用ＩＤを読み出して積算値表示部２２に一定時間表示できるようにするとよい。
【００３６】
例えば、磁石を近付けてリードスイッチ２４をオンすることにより、積算値表示部２２に瞬間流量を一定時間表示する機能を有しているとき、その瞬間流量を表示している状態で再度磁石を近付けてリードスイッチ２４をオンすることにより、表示を切り換えて図４に示すごとく積算値表示部２２に通信用ＩＤを一定時間（例えば５秒間）だけ表示できるようにする。
【００３７】
またこれとは別に、リードスイッチ２４を一定時間（例えば３秒以上）オンし続けた場合に、積算値表示部２２に通信用ＩＤを一定時間（例えば５秒間）だけ表示できるようにしてもよい。
【００３８】
図５には、通信用ＩＤの別の表示状態を示す。
この例では、図示するように、最上位桁から０以外の数値が出るまで０を省いて図中符号３０で示すように０以外の数値からはじまる通信用ＩＤを、図中符号３１で示す「ＩＤ」の文字とともに積算値表示部２２に表示する。例えば、通信用ＩＤが５桁しか意味のある値を持っていないときには、５桁のみを一定時間（例えば５秒間）だけ表示する。
【００３９】
図６には、通信用ＩＤの全桁を２回に分けて表示している状態を示す。
通信用ＩＤの桁数が、表示部の桁数よりも多いときには、通信用ＩＤを途中の桁で分けて複数回で表示する。例えば、通信用ＩＤが１４桁であるとき、２回に分けて一定間隔（例えば１秒間隔）で、はじめ上位７桁を左図のように表示してから、次に下位７桁を右図のように表示し、これを一定回数（例えば５回）繰り返す。
【図面の簡単な説明】
【００４０】
【図１】この発明による電子式メータの一例である電子式水道メータを上から見て示す平面図である。
【図２】図１に示す電子式水道メータに備える電子構成を示すブロック図である。
【図３】図１に示す電子式水道メータにおける積算値表示部を示す図である。
【図４】書き込んだ通信用ＩＤを積算値表示部に表示した状態を示す図である。
【図５】通信用ＩＤの別の表示状態を示す図である。
【図６】通信用ＩＤの全桁を２回に分けて表示している状態を示す図である。
【符号の説明】
【００４１】
１２    蓋
１３    刻印番号
１４    通信用ケーブル
２０    マイコン
２１    流量センサ
２２    積算値表示部
２３    通信Ｉ／Ｆ
２４    リードスイッチ
２５    電源
３０    通信用ＩＤ番号
３１    通信用ＩＤの表示であることを示す「ＩＤ」の文字
【図１】
2008145279.tif 000003
【図２】
2008145279.tif 000004
【図３】
2008145279.tif 000005
【図４】
2008145279.tif 000006
【図５】
2008145279.tif 000007
【図６】
2008145279.tif 000008